(57)【要約】【課題】洗濯時の洗濯物の絡みを低減すると共に、充分な洗浄力が得られ、洗濯物の取出しが容易にでき、更に脱水時の異常振動の発生も低減することのできる洗濯機を提供すること。【解決手段】攪拌翼１５に所定の傾斜角度２０ａを有する攪拌板２０を設け、攪拌翼１５の回転で洗濯兼脱水槽１４内の洗濯液２２に上下水流を発生させて洗浄するものである。これによって、洗濯物は主として上下に動くので絡み合うことがなく、また、攪拌翼１５の回転速度を高くすることで洗濯液２２の上下水流を激しくできるので、洗浄力を高めることができる。【選択図】図１
2005192830.tif 000002
【特許請求の範囲】
【請求項１】
外槽内に回転可能に設けられた洗濯兼脱水槽と、前記洗濯兼脱水槽の底部に設けられた撹拌翼と、前記洗濯兼脱水槽と前記撹拌翼を回転させる駆動手段を有し、前記攪拌翼に所定の傾斜角度を有する攪拌板を設けた洗濯機。
【請求項２】
攪拌板は、攪拌翼の一方の円弧部から反対側の円弧部に向かって延びる構成とした請求項１記載の洗濯機。
【請求項３】
一方の円弧部の長さを反対側の円弧部の長さより長くした請求項２記載の洗濯機。
【請求項４】
攪拌翼に複数の攪拌板を設け、前記攪拌板を回転軸方向に向かって低くなるように傾斜させた請求項１記載の洗濯機。
【請求項５】
攪拌板の間に上方へ突出する攪拌羽根を設けた請求項４記載の洗濯機。
【請求項６】
複数の攪拌板は各々異なる傾斜角度に設定した請求項４または５記載の洗濯機。
【請求項７】
攪拌板に凸部を形成した請求項４〜６のいずれか１項に記載の洗濯機。
【請求項８】
凸部を回転体で構成した請求項７記載の洗濯機。
【請求項９】
回転体は洗濯時に固定する構成とした請求項８記載の洗濯機。
【請求項１０】
回転体は、攪拌翼の回転速度に応じて回転と固定を切り替える構成とした請求項８または９記載の洗濯機。
【発明の詳細な説明】
【技術分野】
【０００１】
本発明は、槽の内底部に配設した撹拌翼の正逆回転によって洗濯を行ない、槽の回転によって脱水を行う洗濯機に関するものである。
【背景技術】
【０００２】
従来、この種の洗濯機は、槽が洗濯と脱水とに兼用で具えられ、その槽の内底部に配設した撹拌体の正逆回転によって洗濯が行われ、そして、槽の回転によって脱水が行われるようになっており、攪拌体を非対称に形成して洗濯水流を複雑にして洗浄力を向上させ、衣類の絡みも少なくしている（例えば、特許文献１参照）。
【０００３】
図２２は、特許文献１に記載された従来の洗濯機の攪拌体を示すものである。図２２に示すように、槽の内底部に配設されて正逆回転されることにより洗濯を行う撹拌体２を、円形の基盤３と、この基盤３上に中央側で放射直線状に突設され外周側で正逆いずれかの回転方向に傾斜するように突設された羽根４とを具備する形態に形成することにより、羽根４が発揮する機械力及び水流力を撹拌体２の正転と逆転とで相違させ、洗濯物及び水の動きを複雑且つ盛んにできるようにしている。また、撹拌体２の周囲外方の底カバー１には、凸部５を撹拌体２の羽根４と同ピッチで同数形成して、洗濯物の動き及び水流を上方向に変えることをより効果的に行えるようにしている。
【特許文献１】特開平８−１９６８３号公報
【発明の開示】
【発明が解決しようとする課題】
【０００４】
しかしながら、前記従来の構成では、羽根が発揮する機械力及び水流力を攪拌体の正転と逆転とで相違させても、発生する水流は渦巻き状であり洗濯を続けるうちに衣類が絡み合い団子状になるため、取出しにくいと共に、脱水時にはそれが槽回転のアンバランス荷重となって、異常振動を多く発生させるといった問題を有していた。
【０００５】
本発明は、前記従来の課題を解決するもので、充分な洗浄力が得られると共に、洗濯物の取出しが容易にでき、更に脱水時の異常振動の発生も低減することのできる洗濯機を提供することを目的とする。
【課題を解決するための手段】
【０００６】
前記従来の課題を解決するために、本発明の洗濯機は、攪拌翼に所定の傾斜角度を有する攪拌板を設け、攪拌翼の回転で洗濯兼脱水槽内の洗濯液に上下水流を発生させて洗浄するものである。
【０００７】
これによって、洗濯物は主として上下に動くので絡み合うことがない、また、攪拌翼の回転速度を高くすることで洗濯液の上下水流を激しくできるので洗浄力も低下することはない。
【発明の効果】
【０００８】
本発明の洗濯機は、充分な洗浄力が得られると共に、洗濯物の取出しが容易にでき、更に脱水時の異常振動の発生も低減することができる。
【発明を実施するための最良の形態】
【０００９】
第１の発明は、外槽内に回転可能に設けられた洗濯兼脱水槽と、前記洗濯兼脱水槽の底部に設けられた撹拌翼と、前記洗濯兼脱水槽と前記撹拌翼を回転させる駆動手段を有し、前記攪拌翼に所定の傾斜角度を有する攪拌板を設けたことにより、攪拌翼の回転で洗濯兼脱水槽内の洗濯液に上下水流を発生させて洗浄することになり、これによって、洗濯物は主として上下に動くので絡み合うことがない、また、攪拌翼の回転速度を高くすることで洗濯液の上下水流を激しくできるので洗浄力も低下することはない。
【００１０】
第２の発明は、特に、第１の発明の攪拌板は、攪拌翼の一方の円弧部から反対側の円弧部に向かって延びる構成としたことにより、攪拌板が洗濯ものをすくい上げ易くなり、攪拌板に洗濯物が引っかかるのを防止することができる。
【００１１】
第３の発明は、特に、第２の発明の一方の円弧部の長さを反対側の円弧部の長さより長くしたことにより、攪拌翼と攪拌板で形成される空間に差ができ、複雑な水流が発生することになり、洗濯性能を向上することができる。
【００１２】
第４の発明は、特に、第１の発明の攪拌翼に複数の攪拌板を設け、前記攪拌板を回転軸方向に向かって低くなるように傾斜させたことにより、攪拌翼の１回転で発生する洗濯液の上下動を増加することになり、洗濯液が洗濯物に作用する回数も増え洗濯性能を向上することができる。
【００１３】
第５の発明は、特に、第４の発明の攪拌板の間に上方へ突出する攪拌羽根を設けたことにより、洗濯物は攪拌羽根に接触して遠心力で洗濯兼脱水槽の側壁へ移動し、洗濯兼脱水槽の上方にあった洗濯物は洗濯兼脱水槽の下部に引き込まれることになり、洗濯物が上下で入れ替わることから洗いむらを防止することができる。
【００１４】
第６の発明は、特に、第４または第５の発明の複数の攪拌板は各々異なる傾斜角度に設定したことにより、攪拌翼の回転で生じる洗濯液の水流に変化を与えることになり洗濯性能を向上することができる。また、攪拌翼の回転で若干発生する渦流の規則性をなくし洗濯物の絡みも防止することができる。
【００１５】
第７の発明は、特に、第４〜第６のいずれかの発明の攪拌板に凸部を形成したことにより、洗濯物に上下運動の他に回転運動も加えることになり、洗濯性能を向上することができる。
【００１６】
第８の発明は、特に、第７の発明の凸部を回転体で構成したことにより、凸部に接触した洗濯物は凸部から過剰な機械力を加えられることがなくなり、洗濯物の傷みを防止することができる。
【００１７】
第９の発明は、特に、第８の発明の回転体は洗濯時に固定する構成としたことにより、洗濯物が洗濯液中を浮遊して回転体との接触力が弱い時に適度の機械力を洗濯物に加えることになり、洗浄力の低下を防止することができる。
【００１８】
第１０の発明は、特に、第８または第９の発明の回転体は、攪拌翼の回転速度に応じて回転と固定を切り替える構成としたことにより、洗濯液の上下流の発生と洗濯物の上下入れ替えを攪拌翼の回転速度の高低で行うことになり、安価で効率の良い洗浄をすることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における洗濯機の断面図を示すものである。図２は、同洗濯機の攪拌翼の斜視図を示すものである。
【００２１】
図１、図２において、洗濯機外枠１１は、４本の吊り棒１２により外槽１３を吊り下げている。洗濯兼脱水槽１４の内側底部には攪拌翼１５を回転自在に配設している。モータ１６（駆動手段）は、ブラシレス直流モータから成っており、インバータ制御され、回転速度を自在に変化できるようになっている。そして、減速機構１７を介して攪拌翼１５および洗濯兼脱水槽１４を駆動する。洗濯水供給手段１８は、洗濯兼脱水槽１４内に給水するものである。排水手段１９は、外槽１３内の洗濯液２２を排水するものである。攪拌翼１５の上面には所定の傾斜角度２０ａを有する攪拌板２０が載置されている。攪拌翼１５ならびに攪拌板２０には洗濯液が通過できるように貫通孔２１が複数設けられている。
【００２２】
以上のように構成された洗濯機について、以下その動作、作用を説明する。まず、洗濯物２３と洗剤を洗濯兼脱水槽１４に投入し、運転を開始する。洗濯水供給手段１８から洗濯兼脱水槽１４内に洗濯水が供給される。また、駆動手段１６により減速機構１７を介して洗濯兼脱水槽１４を低速回転する。この回転で、洗剤と洗濯水が混ぜ合わされ洗濯液２２となる。規定水位に達すると、洗濯水供給手段１８は給水を停止する。洗濯兼脱水槽１４の回転が停止し、減速機構１７が切り替わって攪拌翼１５が回転を始める。攪拌翼１５は正反転を繰り返す。
【００２３】
攪拌翼１５に載置された攪拌板２０の上面２０ｂには攪拌翼１５が回転することで高低差が生じ、洗濯液２２に上下の水流を発生させる。洗濯液２２の上下水流が洗濯物２３に作用し、汚れが洗濯液２２に取り込まれ洗浄が進む。攪拌翼１５の正反転速度を速くすると洗濯液２２の上下水流のサイクルも速くなり、洗濯物２３に作用する力も増大して洗浄力を高めることができる。究極は、超音波洗浄器のように高周波数の洗濯液で洗浄するようなものである。洗濯物２３の動きは主に上下になり、洗濯物２３同士が絡み合うことはない。
【００２４】
以上のように、本実施例の形態においては、攪拌翼１５に所定の傾斜角度２０ａを有する攪拌板２０を設け、攪拌翼１５の回転で洗濯兼脱水槽内１４の洗濯液２２に上下水流を発生させて洗浄するようにしたことにより、洗濯物２３は主として上下に動くので絡み合うことがなく、取り出し易く、偏りもないので脱水時の振動を小さくできる。また、攪拌翼１５の回転速度を高くすることで洗濯液２２の上下水流を激しくして洗浄力も向上することができる。
【００２５】
本実施例では、洗濯時の説明をしたが、乾燥時にも洗濯物を上下に動かして絡みなく乾燥空気と洗濯物の接触をよくして、乾燥性能を向上するという効果もある。
【００２６】
（実施の形態２）
図３は、本発明の第２の実施の形態における洗濯機の攪拌翼の平面図、図４は、同攪拌翼の断面図である。図３、図４において、攪拌板２０を攪拌翼１５の一方の円弧部１５ａから反対側の円弧部１５ｂに向かって延びる構成としたものである。このことにより、洗濯物が攪拌板２０全体に接触することになり、攪拌板２０が洗濯物をすくい上げ易くなると共に攪拌板２０に洗濯物が引っかかるのを防止することができる。
【００２７】
（実施の形態３）
図５は、本発明の第３の実施の形態における洗濯機の攪拌翼の平面図、図６は、同攪拌翼の断面図である。図５、図６において、攪拌板２０の一方の円弧部２０ｃの長さを反対側の円弧部２０ｄの長さより長くしたことにより、攪拌翼１５と攪拌板２０で形成される凹状の空間２４が両側に生じ、複雑な水流が発生することになり、洗濯性能を向上することができる。
【００２８】
（実施の形態４）
図７は、本発明の第４の実施の形態における洗濯機の攪拌翼の平面図、図８は、同攪拌翼の断面図である。図７、図８において、攪拌翼１５に２枚の攪拌板２５、２６を設け、前記攪拌板２０を回転軸２７方向に向かって低くなるように傾斜させたことにより、攪拌翼１５の１回転で発生する洗濯液の上下動を２倍にすることになり、洗濯液が洗濯物に作用する回数も増え洗濯性能を向上することができる。
【００２９】
（実施の形態５）
図９は、本発明の第５の実施の形態における洗濯機の攪拌翼の平面図、図１０は、同攪拌翼の断面図である。図９、図１０において、攪拌板２０の間に上方へ突出する攪拌羽根２８を設けたことにより、洗濯物は攪拌羽根２８に接触して遠心力で洗濯兼脱水槽１４の側壁へ移動し、洗濯兼脱水槽１４の上方にあった洗濯ものは洗濯兼脱水槽１４の下部に引き込まれることになり、洗濯物が上下で入れ替わることから洗いむらを防止することができる。
【００３０】
（実施の形態６）
図１１は、本発明の第６の実施の形態における洗濯機の攪拌翼の平面図、図１２は、同攪拌翼の断面図である。図１１、図１２において、２枚の攪拌板２５、２６に各々異なる傾斜角度２５ａ、２６ａを設定したことにより、攪拌翼１５の回転で生じる洗濯液の水流に変化を与えることになり洗濯性能を向上することができる。また、攪拌翼１５の回転で若干発生する渦流の規則性をなくし洗濯物の絡みも防止することができる。
【００３１】
（実施の形態７）
図１３は、本発明の第７の実施の形態における洗濯機の攪拌翼の平面図、図１４は、同攪拌翼の断面図である。図１３、図１４において、攪拌板２０に凸部２９を形成したことにより、攪拌板２５、２６の上にある洗濯物は凸部２９に引っかかり、攪拌翼１５の回転と同期して洗濯兼脱水槽１４内を回転するようになり、洗濯物に上下運動の他に回転運動も加えられ、洗濯性能を向上することができる。
【００３２】
（実施の形態８）
図１５は、本発明の第８の実施の形態における洗濯機の攪拌翼の斜視図、図１６は、同回転体と攪拌板の装着部の斜視図である。図１５、図１６において、回転体３０は円筒状の本体３０ａと軸３０ｂとからなり、攪拌板２５、２６に設けた軸受け３１に軸３０ｂが装着され、軸止め３１ａで回転自在に支持される。このことにより、回転体３０に接触した洗濯物は回転体３０に引っかかろうとするが、回転体３０が回転するため引っかかることができず、結果として回転体３０から過剰な機械力を加えられることがなくなり、洗濯物の傷みを防止することができる。
【００３３】
（実施の形態９）
図１７は、本発明の第９の実施の形態における洗濯機の攪拌翼の断面図、図１８は、同洗濯機の回転体と攪拌板の装着部の断面図である。図１７、図１８において、回転体３０は円筒状で中空の本体３０ａと軸３０ｂとからなり、攪拌板２５、２６に設けた軸受け３１に軸３０ｂが装着され、軸止め３１ａで回転自在に固定される。また、本体３０ａと軸３０ｂの取り付け部には角柱状の固定部３０ｃが設けられている。洗濯時、回転体３０は洗濯液に水没しており、浮力で上方へ移動する。この時、固定部３０ｃの角が同じく角形に成形された軸受け３１に嵌り、回転体３０の回転は規制されることになる。
【００３４】
洗濯液がない場合は、回転体３０は自重で下方へ移動し、断面が半円状に成形された軸止め３１ａに軸３０ｂが収まり回転体３０は回転自在になる。このことにより、洗濯物が回転体３０の浮力を超えるような強い力で接触した場合は回転体が回転し、それよりも小さい力で接触した場合は、回転体３０の回転は停止するので洗濯物に適度の機械力を加えることになり、傷みと洗浄力の低下の両方を防止することができる。
【００３５】
（実施の形態１０）
図１９は、本発明の第１０の実施の形態における洗濯機の攪拌翼の斜視図、図２０、図２１は同攪拌翼の断面図である。図１９〜図２１において、回転体３０は円筒状の本体３０ａと軸３０ｂとからなり、攪拌板２５、２６に設けた軸受け３１に軸３０ｂが装着され、軸止め３１ａで回転自在に固定される。攪拌翼１５の外周側の本体３０ａと軸３０ｂの取り付け部には角柱状の固定部３０ｃが設けられている。攪拌翼１５の外周側の軸受け３１には、四角状の凹部３１ｂが形成されていると共に、圧縮ばね３２が取り付けられている。
【００３６】
攪拌翼１５の回転速度が遅い時、回転体３０は圧縮ばね３２の布勢力により回転軸２７側に移動し、攪拌翼１５の外周側の四角状の凹部３１ｂと固定部３０ｃは外れていて、回転体３０は回転可能となる。攪拌翼１５の回転速度が速くなって、回転体３０に作用する遠心力が圧縮ばね３２の布勢力より大きくなると、回転体３０は攪拌翼１５の外周側へ移動し、固定部３０ｃと凹部３１ｂが嵌合し回転体３０の回転が規制されることになる。
【００３７】
攪拌翼１５の回転速度が遅い時は、回転体３０が回転して洗濯液の上下流のみで洗浄し、攪拌翼１５の回転速度が速い時は、回転体３０の回転が停止して、洗濯物に機械力が加わり、洗浄力の強化と洗濯物の上下の入れ替えを行えるというものである。このことにより、洗濯液の上下流の発生と洗濯物の上下入れ替えを攪拌翼の回転速度の高低で行うことになり、安価で効率の良い洗浄をすることができる。
【産業上の利用可能性】
【００３８】
以上のように、本発明に関わる洗濯機は、洗濯物の上下動を活発にして洗浄することにより洗濯物の絡みを防止しており、洗濯だけでなく乾燥にも応用することができる。
【図面の簡単な説明】
【００３９】
【図１】本発明の実施の形態１における洗濯機の断面図
【図２】同洗濯機の攪拌翼の斜視図
【図３】本発明の実施の形態２における洗濯機の攪拌翼の平面図
【図４】同洗濯機の攪拌翼の断面図
【図５】本発明の実施の形態３における洗濯機の攪拌翼の平面図
【図６】同洗濯機の攪拌翼の断面図
【図７】本発明の実施の形態４における洗濯機の攪拌翼の平面図
【図８】同洗濯機の攪拌翼の断面図
【図９】本発明の実施の形態５における洗濯機の攪拌翼の平面図
【図１０】同洗濯機の攪拌翼の断面図
【図１１】本発明の実施の形態６における洗濯機の攪拌翼の平面図
【図１２】同洗濯機の攪拌翼の断面図
【図１３】本発明の実施の形態７における洗濯機の攪拌翼の平面図
【図１４】同洗濯機の攪拌翼の断面図
【図１５】本発明の実施の形態８における洗濯機の攪拌翼の斜視図
【図１６】同洗濯機の回転体と攪拌板の装着部の斜視図
【図１７】本発明の実施の形態９における洗濯機の攪拌翼の断面図
【図１８】同洗濯機の回転体と攪拌板の装着部の断面図
【図１９】本発明の実施の形態１０における洗濯機の攪拌翼の斜視図
【図２０】同洗濯機の攪拌翼の断面図
【図２１】同洗濯機の攪拌翼の断面図
【図２２】従来の洗濯機の攪拌翼の平面図
【符号の説明】
【００４０】
１３  外槽
１４  洗濯兼脱水槽
１５  攪拌翼
１５ａ  円弧部
１５ｂ  円弧部
１６  駆動手段
２０  攪拌板
２０ａ  傾斜角度
２０ｃ  円弧部
２０ｄ  円弧部
２５  攪拌板
２５ａ  傾斜角度
２６  攪拌板
２６ａ  傾斜角度
２７  回転軸
２８  攪拌羽根
２９  凸部
３０  回転体
【図１】
2005192830.tif 000003
【図２】
2005192830.tif 000004
【図３】
2005192830.tif 000005
【図４】
2005192830.tif 000006
【図５】
2005192830.tif 000007
【図６】
2005192830.tif 000008
【図７】
2005192830.tif 000009
【図８】
2005192830.tif 000010
【図９】
2005192830.tif 000011
【図１０】
2005192830.tif 000012
【図１１】
2005192830.tif 000013
【図１２】
2005192830.tif 000014
【図１３】
2005192830.tif 000015
【図１４】
2005192830.tif 000016
【図１５】
2005192830.tif 000017
【図１６】
2005192830.tif 000018
【図１７】
2005192830.tif 000019
【図１８】
2005192830.tif 000020
【図１９】
2005192830.tif 000021
【図２０】
2005192830.tif 000022
【図２１】
2005192830.tif 000023
【図２２】
2005192830.tif 000024